(57)【要約】      （修正有）【課題】カード収容部を覆うカバー片を持ち上げる等の操作を要することなく、カードを挿入するだけで収容でき、しかも、外部から力がかかった場合にも、不用意にカードが脱落することのないカードホルダを提供する。【解決手段】背面シート２と透明な正面シート１とを重ね、三辺でシールしてカード収容部Ａを形成すると共に、残る一辺をカード挿入口Ａ１として構成したカードホルダにおいて、正面シート１に折り返し片Ｂを連接し、この折り返し片Ｂをカード挿入口Ａ１からカード収容部Ａの内部に向けて折り返す。この折り返しＢは逆流防止弁の機能を有し、カードを差し込むだけで速やかに収容できるが、収容されたカードに対してカード挿入口Ａ１へ向う力が加えられたときには、カードは折り返し片Ｂに突き当たるため、カードが不用意に脱落することがない。【選択図】図１
0003211396.tif 000002
【実用新案登録請求の範囲】
【請求項１】
背面シートと透明な正面シートとを重ね、三辺でシールしてカード収容部を形成すると共に、残る一辺をカード挿入口として構成したカードホルダにおいて、
前記正面シートに折り返し片を連接し、この折り返し片がカード挿入口からカード収容部の内部に向けて折り返されていることを特徴とするカードホルダ。
【請求項２】
前記折り返し片の先端とカード収容部の底部との距離が、収容するカードの高さより長いことを特徴とする請求項１に記載のカードホルダ。
【請求項３】
前記折り返し片の先端とカード収容部の底部との距離が、収容するカードの高さより２ｍｍ以上長いことを特徴とする請求項２に記載のカードホルダ。
【請求項４】
前記背面シートと正面シートとがいずれもフレキシブルであり、かつ、前記カード挿入口の幅が収容するカードの幅より長いことを特徴とする請求項１〜３のいずれかに記載のカードホルダ。
【請求項５】
前記カード挿入口の幅が収容するカードの幅より５ｍｍ以上長いことを特徴とする請求項４に記載のカードホルダ。
【請求項６】
前記折り返し片の幅がカード挿入口の幅より短いことを特徴とする請求項１〜５のいずれかに記載のカードホルダ。
【考案の詳細な説明】
【技術分野】
【０００１】
本考案は、名刺、名札、身分証明書、社員証、学生証、会員証等のカードを収容して携帯することができるカードホルダに関する。
【背景技術】
【０００２】
このようなカードホルダは、例えば、特許文献１に記載されている。このカードホルダはその主要部が正面シートと背面シートとで構成されており、正面シート上部には、吊り下げ部が設けられている。正面シートは、その高さが収容するカードとほぼ同一の長さに構成されており、一方、背面シートは高さが前記カードより短く構成されている。そしてこれら正面シートと背面シートとは三辺をシールしてカード収容部を構成し、上辺を未シールとしてカード挿入口としている。
【０００３】
前述のように背面シートは高さがカードより短いため、このカード挿入口からカード収容部にカードを挿入して収容すると、カードの上部はカード挿入口から外部に飛び出した状態になる。
【０００４】
ところで、前記吊り下げ部は、上部に設けた折り曲げ線で二つ折りされており、その折り曲げ線を介して、正面側吊り下げ部と背面側吊り下げ部とに区分されている。そして、その背面側吊り下げ部の先端にはカバー片が連接されている。このカバー片は、カード挿入口から外部に飛び出したカード上部を被覆して、カードの脱落を防ぐものである。
【０００５】
なお、正面側吊り下げ部と背面側吊り下げ部との間には第２のカードを収容する第２収容部が設けられており、この第２のカードに会社名や所属部署等を記入して第２収容部に収容して、カードの整理に供することができる。
【先行技術文献】
【特許文献】
【０００６】
【特許文献１】特開２００５−１２１６８４号公報
【考案の概要】
【考案が解決しようとする課題】
【０００７】
このカードホルダにおいては、カード挿入口からカードを挿入するためには、カバー片を持ち上げる必要があるという欠点があった。
【０００８】
また、このカードホルダに下方から力が加わった場合、カバー片がカードに押し上げられて、カードが飛び出すという問題点も抱えていた。
【０００９】
そこで、本考案は、カバー片を持ち上げる等の操作を要することなく、カードを挿入するだけで収容でき、しかも、外部から力がかかった場合にも、不用意にカードが脱落することのないカードホルダを提供することを目的とする。
【課題を解決するための手段】
【００１０】
すなわち、請求項１に記載の考案は、背面シートと透明な正面シートとを重ね、三辺でシールしてカード収容部を形成すると共に、残る一辺をカード挿入口として構成したカードホルダにおいて、
前記正面シートに折り返し片を連接し、この折り返し片がカード挿入口からカード収容部の内部に向けて折り返されていることを特徴とするカードホルダである。
【００１１】
次に、請求項２に記載の考案は、前記折り返し片の先端とカード収容部の底部との距離が、収容するカードの高さより長いことを特徴とする請求項１に記載のカードホルダである。
【００１２】
また、請求項３に記載の考案は、前記折り返し片の先端とカード収容部の底部との距離が、収容するカードの高さより２ｍｍ以上長いことを特徴とする請求項２に記載のカードホルダである。
【００１３】
また、請求項４に記載の考案は、前記背面シートと正面シートとがいずれもフレキシブルであり、かつ、前記カード挿入口の幅が収容するカードの幅より長いことを特徴とする請求項１〜３のいずれかに記載のカードホルダである。
【００１４】
また、請求項５に記載の考案は、前記カード挿入口の幅が収容するカードの幅より５ｍｍ以上長いことを特徴とする請求項４に記載のカードホルダである。
【００１５】
また、請求項６に記載の考案は、前記折り返し片の幅がカード挿入口の幅より短いことを特徴とする請求項１〜５のいずれかに記載のカードホルダである。
【考案の効果】
【００１６】
本考案のカードホルダにおいては、折り返し片がカード挿入口からカード収容部の内部に向けて折り返されているから、この折り返し片はいわゆる逆流防止弁の機能を有している。
【００１７】
すなわち、折り返し片がカード挿入口からカード収容部の内部に向けて折り返されているだけであるから、この折り返し片はカード挿入の際には邪魔にならず、カードをカード挿入口から差し込むだけで速やかに収容できる。この際、例えば、この折り返し片を持ち上げる等の操作を一切必要としない。
【００１８】
一方、カードホルダに収容されたカードに対してカード挿入口へ向う力が加えられたときには、カードは前記折り返し片に突き当たるため、カードが不用意に脱落することがない。
【図面の簡単な説明】
【００１９】
【図１】図１は本考案のカードホルダの具体例に係り、図１（ａ）はその正面説明図、図１（ｂ）は断面説明図である。
【図２】図２はカードの例を示す正面図である。
【図３】図３はカードを収容したカードホルダの具体例に係り、図３（ａ）はその正面説明図、図３（ｂ）は断面説明図である。
【考案を実施するための形態】
【００２０】
以下、図面を参照して本考案の具体例を説明する。図１は本考案のカードホルダの具体例に係り、図１（ａ）はその正面説明図、図１（ｂ）は断面説明図である。
【００２１】
このカードホルダ１００は正面シート１と背面シート２とで構成されている。正面シート１は透明でフレキシブルなシートである。背面シート２はフレキシブルなシートであるが、透明である必要はない。
【００２２】
透明な正面シート１は各種プラスチックシートで構成することができる。例えば、ポリ塩化ビニルシート、ポリエチレンシート、ポリプロピレンシート、ポリエステルシートで
ある。
【００２３】
背面シート２も同様なプラスチックシートで構成することができるが、この他、例えば紙とプラスチックシートとを積層した積層シート等で構成してもよい。
【００２４】
また、１枚のシートを折り曲げ線で折り曲げて、この折り曲げ線で区分された２つの領域のうち、一方の領域を正面シート１、他方の領域を背面シート２としてもよい。
【００２５】
そして、このカードホルダ１００は、これら正面シート１と背面シート２とを重ね合わせ、その三辺をシールして、カード収容部Ａを設けている。図中、ａは底辺シール線、ｂ，ｂは左右の側辺シール線を示している。
【００２６】
残る一辺はカード挿入口Ａ１である。このカード挿入口Ａ１からカードを差し込むことにより、カードをカード収容部Ａに収容することができる。
【００２７】
そして、正面シート１の上側には、折り返し線３ａを介して、折り返し片Ｂが連接されている。この折り返し片Ｂは、図１（ｂ）から分かるように、カード挿入口Ａ１からカード収容部Ａの内部に向けて折り返されている。このため、折り返し片Ｂは正面シート１と背面シート２とに挟まれている。この例では、折り返し片Ｂは弾性を有しており、このため、その先端３ｃの近傍が背面シート２の内面に当接しているが、折り返し片Ｂが弾性を有している必要はなく、その先端は背面シート２内面から離隔していてもよい。なお、図１（ａ）及び図１（ｂ）から分かるように、折り返し線３ａはカード挿入口Ａ１を構成する部位である。
【００２８】
また、背面シート２の上部には、吊り下げ部４が連接されている。この吊り下げ部４は、その上辺を折り曲げ線として二つ折りし、こうして二つ折りした各領域を互いにシールして、吊り下げ部４の強度を高めている。そして、この吊り下げ部４には吊り下げ孔４１が穿孔されている。
【００２９】
次に、収容するカードとの関係で、カードホルダ１００の各部の寸法を説明する。このカードホルダに収容するカードは任意のカードでよいが、カードには各種の寸法を有する多種類のものがあるから、これら多種類のカードのうち、代表的な大きさのカードを収容するものとして、カードホルダ１００の各部の寸法を設計することが望ましい。
【００３０】
これら各種のカードのうち、代表的なものはクレジットカード等のプラスチックカード及び名刺である。クレジットカードの寸法については、ＩＳＯやＪＩＳ等の規格で定められており、縦５４ｍｍ程度、横８６ｍｍ程度、厚み約０．８ｍｍである。身分証明書や社員証等はこの規格に従う必要がないが、製造上の便宜やカード管理上の便宜から、クレジットカードの寸法と同じ寸法を有するものが多い。また、名刺には規格がなく、各種寸法を有するものがあるが、縦５５ｍｍ程度、横９０ｍｍ程度のものが広く普及している。なお、図２は、クレジットカードとほぼ同一寸法の身分証明書２００を示している。また、図３（ａ）はこの身分証明書（カード）２００を収容したカードホルダ１００の正面説明図、図３（ｂ）はその断面説明図である。
【００３１】
まず、折り返し片Ｂの先端３ｃは、収容したカードの高さより高い位置にあることが望ましい。すなわち、折り返し片Ｂの先端３ｃとカード収容部Ａの底辺シール線ａとの距離Ａｈ１が、収容するカード２００の高さ２００ｈより長いことが望ましい。より望ましくは、折り返し片Ｂの先端３ｃとカード収容部Ａの底辺シール線ａとの距離Ａｈ１とカード２００の高さ２００ｈとの差が２ｍｍ以上である。
【００３２】
このようにカード収容部Ａの高さＡｈと折り返し片Ｂの折り返し長さＢｈとを設計することにより、折り返し片Ｂは逆流防止弁と同様の機能を発揮することができる。
【００３３】
すなわち、カード２００を挿入するときには、カード２００をカード挿入口Ａ１から差し込むだけで、その他の操作を要することなく、容易にカード収容部Ａにカード２００を収容することができる。一方、収容したカード２００に対して、カード挿入口Ａ１に向かう力がかかった場合には、カード２００の上端２０１が折り返し片Ｂに突き当たる。折り返し片Ｂは正面シート１と背面シート２とに挟まれているから、カード収容部Ａからその外部に持ち上がることがなく、このため、カード２００がカード収容部Ａから不用意に脱落することがないのである。
【００３４】
この例では、カード２００としてクレジットカードと同一寸法の身分証明書を使用しており、この身分証明書の長辺（横）がカード挿入口Ａ１と平行になるようにカードホルダ１００を設計しているから、折り返し片Ｂの先端３ｃとカード収容部Ａの底部シール線ａとの距離Ａｈ１は５４ｍｍ以上であることが望ましい。一層望ましくは５６ｍｍ以上である。
【００３５】
また、カード２００として代表的な前記寸法の名刺を使用し、この名刺の長辺（横）がカード挿入口Ａ１と平行になるようにカードホルダ１００を設計する場合には、折り返し片Ｂの先端３ｃとカード収容部Ａの底部シール線ａとの距離Ａｈ１は５５ｍｍ以上であることが望ましい。一層望ましくは５７ｍｍ以上である。
【００３６】
次に、正面シート１と背面シート２とをいずれもフレキシブルなシートで構成し、しかも、カード挿入口Ａ１の幅を収容するカード２００の幅２００ｄより長くすることが望ましい。より望ましくは、カード挿入口Ａ１の幅とカード２００の幅２００ｄとの差が５ｍｍ以上である。
【００３７】
この例では、カード２００としてクレジットカードと同一寸法の身分証明書を使用しており、この身分証明書の長辺（横）がカード挿入口Ａ１と平行になるようにカードホルダ１００を設計しているから、カード挿入口Ａ１の幅Ａｄを８６ｍｍ以上とすることが望ましく、より望ましくは９１ｍｍ以上である。この身分証明書に代えて代表的な名刺を収容するカードホルダにおいては、カード挿入口Ａ１の幅Ａｄを９０ｍｍ以上とすることが望ましく、より望ましくは９５ｍｍ以上である。
【００３８】
そして、正面シート１と背面シート２とをいずれもフレキシブルなシートで構成し、しかも、このようにカード挿入口Ａ１の幅Ａｄが収容するカード２００の幅２００ｄより長いとき、このカードホルダ１００を左右の側辺シール線ｂ，ｂからホルダ中央方向に向けて押圧することにより、正面シート１と折り返し片Ｂが一体となって外側に撓み、一方、背面シート２も外側に撓むから、これらの間にカード２００を挿入するカード挿入口Ａ１が開く。そして、こうして開いたカード挿入口Ａ１の幅はカード２００の幅２００ｄより長いから、容易にカード２００を挿入して収容することができる。
【００３９】
また、このように左右の側部シール線ｂ，ｂから押圧してカード挿入口Ａ１を開く際の便宜のため、折り返し片Ｂの幅Ｂｄをカード挿入口Ａ１の幅Ａｄより短く構成することが望ましい。このように折り返し片Ｂの幅Ｂｄがカード挿入口Ａ１の幅Ａｄより短い場合、カード挿入口Ａ１には折り返し片Ｂのない領域が存在するから、わずかな力で正面シート１を撓ませてカード挿入口Ａ１を開くことが可能となる。
【００４０】
以上の説明からも分かるように、このカードホルダ１００は、次のように使用することができる。すなわち、まず、左右の側部シール線ｂ，ｂからホルダ中央方向に向けて押圧
することにより、カード挿入口Ａ１を開き、カード２００を挿入して収容する。このとき、その他の操作を一切必要としない。収容したカード２００の表示画像は、透明な正面シート１を通して読み取ることができる。
【００４１】
そして、このように収容したカード２００に対し、不用意に力が加えられた場合には、カード２００の上端が折り返し片Ｂに突き当たるため、カード２００が不用意に脱落することがない。
【００４２】
カード２００を収容したカードホルダ１００は、その吊り下げ孔４１にひも等を通すことにより、首等から吊り下げることができる。また、この吊り下げ孔４１を利用して、多数のカードホルダ１００をまとめ、カード２００の管理に利用することもできる。
【００４３】
なお、収容したカード２００をカードホルダ１００から取り出す際には、左右の側部シール線ｂ，ｂからホルダ中央方向に向けて押圧すればよい。このように押圧することにより、正面シート１と折り返し片Ｂが一体となって外側に撓み、一方、背面シート２も外側に撓んで、両者の間にカード挿入口Ａ１が開くから、このカード挿入口Ａ１からカード２００を取り出すことができる。
【００４４】
以上、カード挿入口Ａ１を上方に配置したカードホルダ１００を例として本考案を説明したが、これに限られず、カード挿入口Ａ１を側方に配置したものであってもよいことは明らかである。
【符号の説明】
【００４５】
１００：カードホルダ
１：正面シート    ２：背面シート    ４：吊り下げ部    ４１：吊り下げ孔
Ａ：カード収容部    Ａ１：カード挿入口
Ａｄ：カード挿入口の幅    Ａｈ１：折り返し片の先端とカード収容部の底部との距離
Ｂ：折り返し片
Ｂｄ：折り返し片の幅    Ｂｈ：折り返し片の折り返し長さ
２００：カード    ２０１：カード上端
【図１】
0003211396.tif 000003
【図２】
0003211396.tif 000004
【図３】
0003211396.tif 000005